(57)【特許請求の範囲】
【請求項１】
携帯端末装置の筐体一端部が差し込み可能に構成された支持部を有し、
前記支持部は、前記筐体一端部の表面側を支持可能な表面側支持部位と、前記筐体一端部の裏面側を支持可能な裏面側支持部位とを有し、
前記裏面側支持部位は、前記支持部に前記筐体一端部が差し込まれたときに前記筐体一端部の裏面側に対向する位置に空間を形成する凹状の逃げ部と、前記筐体一端部に対向する位置に配設されて前記筐体一端部を支持する筐体支持部位と、
を有し、
前記逃げ部には、前記筐体一端部に設けられた係合凹部に係合可能な係合突起が弾性力によって出没自在に配設されている
ことを特徴とする携帯端末装置の支持装置。
【請求項２】
前記逃げ部の上端が、前記表面側支持部位或いは前記裏面側支持部位のうち、逃げ部が形成されていないほうの支持部位の上端よりも上側に位置するように形成されていることを特徴とする請求項１に記載の携帯端末装置の支持装置。
【請求項３】
前記逃げ部は、前記筐体一端部の裏面側に形成された曲面部の曲率よりも大きな曲率となるように形成されていることを特徴とする請求項１又は２に記載の携帯端末装置の支持装置。
【請求項４】
前記支持部は、前記筐体一端部に形成された係合溝に係合可能な係合リブが形成されていることを特徴とする請求項１から３のいずれか１項に記載の携帯端末装置の支持装置。
【発明の詳細な説明】
【技術分野】
【０００１】
本発明は、例えば携帯電話機等の携帯端末装置を支持する支持装置に関するものである。
【背景技術】
【０００２】
この種の支持装置としては、下記特許文献１に示されるような充電器等が知られており、バッテリが内蔵された携帯端末装置の一端部が給電端子の設けられた支持部に差し込まれ、この一端部の表裏面側から支持されることにより、この携帯端末装置を縦置き姿勢とさせた状態で前記一端部に設けられた充電端子が、給電端子に接続される構成となっている。すなわち、支持部を画成する壁面のうち、携帯端末装置を表面側から支持する表面側支持部位の内表面と裏面側から支持する裏面側支持部位の内表面とが略平行とされるとともに、これらの内表面同士の距離が携帯端末装置の一端部の厚さよりも若干大きくされて、この携帯端末装置の一端部を表裏面側から挟み込むように支持することで、この携帯端末装置を縦置き姿勢に保持する構成が知られている。
【特許文献１】特開２００２−１３５３８２号公報
【発明の開示】
【発明が解決しようとする課題】
【０００３】
しかしながら、従来の支持装置では、支持部を画成する表面側支持部位の内表面と裏面側支持部位の内表面とが略平行とされるとともに、これらの内表面同士の距離が携帯端末装置の一端部の厚さよりも若干大きくされているので、携帯端末装置を支持部に対して挿脱するに際し、この携帯端末装置を支持部の開口方向に対して、前記各内表面と携帯端末装置の表裏面とのクリアランス分だけしか傾けることができないことになる。したがって、支持部に対して挿脱できる携帯端末装置の前記開口方向に対する傾斜角度が制限され、その取り扱い性の悪化が指摘されている。
【０００４】
この発明は、このような事情を考慮してなされたもので、携帯端末装置の挿脱を容易にすることができる携帯端末装置の支持装置を提供することを目的とする。
【課題を解決するための手段】
【０００５】
上記課題を解決するために、本願発明は、以下の手段を採用した。
本発明に係る携帯端末装置の支持装置は、携帯端末装置の筐体一端部が差し込み可能に構成された支持部を有し、前記支持部は、前記筐体一端部の表面側を支持可能な表面側支持部位と、前記筐体一端部の裏面側を支持可能な裏面側支持部位とを有し、前記裏面側支持部位は、前記支持部に前記筐体一端部が差し込まれたときに前記筐体一端部の裏面側に対向する位置に空間を形成する凹状の逃げ部と、前記筐体一端部に対向する位置に配設されて前記筐体一端部を支持する筐体支持部位と、を有し、前記逃げ部には、前記筐体一端部に設けられた係合凹部に係合可能な係合突起が弾性力によって出没自在に配設されていることを特徴とする。
また、前記逃げ部の上端が、前記表面側支持部位或いは前記裏面側支持部位のうち、逃げ部が形成されていないほうの支持部位の上端よりも上側に位置するように形成されていることを特徴とする。
【０００６】
前記逃げ部は、前記筐体一端部の裏面側に形成された曲面部の曲率よりも大きな曲率となるように形成されてもよい。
前記支持部は、前記筐体一端部に形成された係合溝に係合可能な係合リブが形成されてもよい。
【発明の効果】
【０００７】
本発明によれば、支持部に設けられた表面側支持部位および裏面側支持部位の少なくとも一方に、筐体一端部の一端側に対向する位置に逃げ部が形成されているので、携帯端末装置を支持部に対して挿脱するに際し、この携帯端末装置を表面側支持部位側または裏面側支持部位側に傾けて、この携帯端末装置の筐体一端部を逃げ部に沿わせながら、この携帯端末装置を支持部に対して進退移動させることが可能になる。したがって、この携帯端末装置を支持部に対して傾けて挿脱することが可能になり、支持部に対して挿脱できる携帯端末装置の傾斜角度を大きくすることができ、その取り扱い性を向上させることができる。
【発明を実施するための最良の形態】
【０００８】
以下、本発明に係る携帯端末装置の支持装置の一実施形態を図１から図３を参照しながら説明する。まず、本実施形態の支持装置としての充電器２０に供される携帯端末装置１０について説明する。この携帯端末装置１０は、第１筐体１１と、図示されないバッテリが内蔵された第２筐体１２とが、これら第１、第２筐体１１、１２の他端部１１ａ、１２ａに連結部１３を介して連結されて開閉可能とされている。本実施形態の連結部１３は、その軸線が第１、第２筐体１１、１２の重ね合わせ面１１ｃ、１２ｃの幅方向に延びるヒンジとされ、第２筐体１２が、軸線を中心としてその重ね合わせ面１２ｃが第１筐体１１の重ね合わせ面１１ｃに対してその厚さ方向に接近離間するように回動自在とされ、いわゆる折り畳み式の携帯電話機とされている。
【０００９】
また、第１、第２筐体１１、１２の一端部１１ｂ、１２ｂにおける先端部は、その平面視が、他端部１１ａ、１２ａから一端部１１ｂ、１２ｂに向かう方向に凸の円弧形状とされている。さらに、本実施形態では、第２筐体１２の一端部（筐体一端部）１２ｂにおける先端部は、その側面視が、裏面１２ｅ側に凸の円弧形状とされている。つまり、第２筐体１２の一端部１２ｂにおける裏面１２ｅ側は半球形状の曲面部とされている。
【００１０】
また、バッテリは第２筐体１２の一端部１２ｂに内蔵され、第２筐体１２の一端部１２ｂの両側面１２ｄ、１２ｄにそれぞれ、この第２筐体１２の重ね合わせ面１２ｃの幅方向で対向する位置にこの第２筐体１２の一端に向けて開口する係合溝１７が形成されている。さらに、この係合溝１７の底面１７ａのうち、図３に示されるように、重ね合わせ面１２ｃ側の部分１７ｂに充電端子１４が設けられている。
以上のように構成された携帯端末装置１０は、全体としてその一端部１０ｂにバッテリが内蔵されている。
【００１１】
次に、本実施形態に係る充電器２０について説明する。この充電器２０は、バッテリが内蔵された携帯端末装置１０の一端部１０ｂが差し込まれ、この携帯端末装置１０を縦置き姿勢とさせた状態で支持する支持部２１を備えている。
【００１２】
支持部２１は、第２筐体１２の一端部１２ｂにおける円弧形状および半球形状に沿うような凹曲面状の表面形状とされている。この支持部２１の表面において、差し込まれた第２筐体１２の一端部１２ｂの両側面１２ｄ、１２ｄと対向する位置にそれぞれ、係合溝１７に収納される給電端子２２と係合リブ２３とが設けられている。
【００１３】
本実施形態の給電端子２２は、ばね弾性力によって支持部２１の表面に対して出没自在に設けられ、支持部２１に差し込まれた第２筐体１２の一端部１２ｂの両側面１２ｄ、１２ｄを、その幅方向で対向する位置で挟み込むようになっている。また、係合リブ２３は、互いの係合リブ２３が対向する方向、つまり差し込まれた携帯端末装置１０の幅方向、かつこの携帯端末装置１０の長手方向に延在するように、支持部２１の表面から突出した正面視逆三角形状とされ、第２筐体１２の一端部１２ｂをその両側面１２ｄ、１２ｄ側から挟み込み可能とされている。
【００１４】
以上の構成において、第２筐体１２の一端部１２ｂを支持部２１に差し込んだ状態で、充電端子１４と給電端子２２とが接続されるとともに、係合リブ２３が、係合溝１７を画成する面のうち、第２筐体１２の重ね合わせ面１２ｃに沿って延びる背面１７ｄ、および第２筐体１２の厚さ方向に沿って延びる上面１７ｅ、および底面１７ａと対向するように、係合溝１７に給電端子２２と係合リブ２３とが収納されるようになっている。
【００１５】
さらに、支持部２１を画成する壁面のうち、携帯端末装置１０の表面側、本実施形態では第２筐体１２の重ね合わせ面１２ｃ側を支持する前面壁（表面側支持部位）２４には、差し込まれた第２筐体１２の一端部１２ｂにおける重ね合わせ面１２ｃのうち、その先端周縁部を除いた部分を前方に向けて開放する切欠き部２４ａが形成されている。本実施形態では、切欠き部２４ａは、差し込まれた第２筐体１２の一端部１２ｂを前方に向けて開放する平面視半円形状の開口部の内周面において、前面壁２４の内表面側（支持部２１側）の端部に、前記開口部の径方向内方に向けて突出し、かつこの内周面に沿って延在する支持板（表面側支持部位）２４ｂが形成されて、この支持板２４ｂにより、第２筐体１２の一端部１２ｂにおける重ね合わせ面１２ｃ側（筐体一端部の表面側）の先端周縁部が支持されている。なお、前面壁２４の厚さは第１筐体１１の厚さと同等とされ、支持板２４ｂの厚さは前面壁２４の厚さより薄くされている。
【００１６】
図示の例では、閉じられた携帯端末装置１０が支持部２１に差し込まれた状態で、第１筐体１１の一端部１１ｂのうち凸の円弧形状とされた先端面が、開口部の内周面上に位置されるとともに、この前面壁２４の外表面と、第１筐体１１の重ね合わせ面１１ｃと反対側の裏面１１ｅとが略面一となり、また、第１、第２筐体１１、１２の重ね合わせ面１１ｃ、１２ｃ同士の間に、支持板２４ｂが位置されるようになっている。すなわち、本実施形態では、前面壁２４は、閉じられた携帯端末装置１０の一端部１０ｂのうち、第２筐体１２の一端部１２ｂにおける重ね合わせ面１２ｃの先端周縁部と、第１筐体１１の一端部１１ｂにおいてその裏面１１ｅを除いた部分とを支持するようになっている。
【００１７】
また、携帯端末装置１０が支持部２１に差し込まれて充電器２０に装着されると、第２筐体１２の一端部１２ｂにおける両側面１２ｄ、１２ｄから裏面１２ｅに亙った全体が、支持部２１の表面に支持されるようになっている。これにより、第２筐体１２の一端部１２ｂを支持部２１に差し込み、携帯端末装置１０を開いた状態から閉じたときに、第２筐体１２の一端部１２ｂにその厚さ方向において裏面１２ｅ側に向けてスライドしようとするトルクが作用した場合においても、その移動を阻止できるようになっている。
【００１８】
そして、本実施形態では、支持部２１を画成する壁面のうち、第２筐体１２の一端部１２ｂにおける裏面１２ｅ側を支持する後面壁（裏面側支持部位）２５には、この後面壁２５の上方（第２筐体１２の一端部１２ｂの他端側に対向する部位）に、第２筐体１２の一端部１２ｂにおける裏面１２ｅを支持する上部（筐体支持部位）２８と、その上部２８を除いた部分に、底面壁２６の内面に連なり上下方向（第２筐体１２の一端部１２ｂにおける一端側から他端側に向かう方向）に延びるように形成される凹曲面状の逃げ部２７とが設けられている。この逃げ部２７の曲率半径は、半球形状とされた第２筐体１２の一端部１２ｂにおける裏面１２ｅ側に形成された曲面部の曲率半径よりも大きくされている。なお、後面壁２５の内面における上部２８は、逃げ部２７の上端（他端側端部）２７ａから上方に向かうに従い漸次、前面壁２４から離れるように傾斜している。
【００１９】
ここで、後面壁２５の内面には、支持部２１に差し込まれた携帯端末装置１０の長手方向に延在する凸条体２５ａが、この携帯端末装置１０の幅方向に間隔をあけて２つ形成されており、この携帯端末装置１０の裏面１２ｅは、これらの凸条体２５ａ、２５ａと当接するようになっている。そして、この凸条体２５ａも前述した後面壁２５の内面形状に沿うような形状とされ、後面壁２５の上部２８と対応する部分は傾斜し、逃げ部２７に対応する部分は凹曲面状とされている。
【００２０】
また、後面壁２５の上部２８の内表面と支持板２４ｂの内表面とは略平行とされるとともに、これら両内表面同士の間隔は第２筐体１２の一端部１２ｂの厚さと略同等とされている。さらに、逃げ部２７は、支持部２１に差し込まれた第２筐体１２の一端部１２ｂの裏面１２ｅにおける幅方向の全域と対向するように位置されている。そして、この逃げ部２７の上端２７ａは、切欠き部２４ａの内周縁、つまり支持板２４ｂの全周に亙った内周縁よりも上方（他端側）に位置されている。
【００２１】
また、逃げ部２７には、支持部２１を画成する前面壁２４側に向けて弾性力により出没自在とされた係合突起２９が設けられている。この係合突起２９は、その上面が後面壁２５の内表面から先端に向かうに従い漸次下方に向けて傾斜する一方、下面が後面壁２５の内表面から先端に向かうに従い漸次上方に向けて傾斜して、これら上面と下面とがなす交差稜線が支持部２１の幅方向に延びる先端部を形成している。さらに、この係合突起２９は、逃げ部２７における支持部２１の幅方向中央部に設けられるとともに、その先端部がこの支持部２１の前後方向で支持板２４ｂの内周縁と略対向して位置されている。
【００２２】
そして、携帯端末装置１０の第２筐体１２の一端部１２ｂ側の裏面１２ｅには、携帯端末装置１０が支持部２１に差し込まれたときに係合突起２９と対向する位置に、この係合突起２９の先端部と係合する図示しない係合凹部が形成されている。これにより、携帯端末装置１０が支持部２１に差し込まれて充電器２０に装着されると、係合突起２９が第２筐体１２の裏面１２ｅに形成されている係合凹部に係合し、携帯端末装置１０が差し込み方向とは反対側に移動して充電器２０から離脱することが抑制される。なお、携帯端末装置１０は、この係合突起２９と係合凹部との係合を解除することにより充電器２０から取り出すことができる。
【００２３】
以上より、携帯端末装置１０が充電器２０の支持部２１に差し込まれると、第２筐体１２の一端部（筐体一端部）１２ｂにおいて、その裏面１２ｅが、凸条体２５ａ、２５ａのうち後面壁２５の上部２８に位置する部分と接触する一方、逃げ部２７に位置する部分とは非接触とされるとともに、係合突起２９により前面壁２４に向けて押され、かつこの係合突起２９と裏面１２ｅの係合凹部とが係合した状態で、重ね合わせ面１２ｃの先端周縁部が支持板２４ｂの内表面に支持されることになる。
【００２４】
なお、この状態において、第２筐体１２の両側面１２ｄ、１２ｄに形成された係合溝１７に、充電器２０の給電端子２２および係合リブ２３が収納されて、給電端子２２と充電端子１４とが接続されるとともに、係合溝１７を画成する壁面のうち、重ね合わせ面１２ｃに沿って延びる背面１７ｄ、第２筐体１２の厚さ方向に沿って延びる上面１７ｅおよび底面１７ａに、係合リブ２３が対向することになる。さらに、この状態において、係合リブ２３と、係合溝１７の背面１７ｄおよび上面１７ｅとの間にはクリアランスが設けられており、携帯端末装置１０を後述するように傾けた状態で支持部２１に対して挿脱する際に、係合リブ２３と係合溝１７とが干渉しないようになっている。
【００２５】
以上説明したように、本実施形態による充電器によれば、携帯端末装置１０が支持部２１に差し込まれて充電器２０に装着されたときに、支持部２１を画成して第２筐体１２の一端部１２ｂにおける裏面１２ｅを支持する後面壁２５の内面における第２筐体１２の一端部１２ｂに対向する位置に逃げ部２７が形成されているので、携帯端末装置１０を支持部２１に対して挿脱するに際し、この携帯端末装置１０を支持部２１を画成する前面壁２４側に傾けて第２筐体１２の一端部１２ｂにおける裏面１２ｅ側の部分を逃げ部２７に沿わせながら、この携帯端末装置１０を支持部２１に対して進退移動させることが可能になる。
【００２６】
したがって、この携帯端末装置１０を支持部２１の開口方向に対して傾けて前記挿脱することが可能になり、支持部２１に対して挿脱できる携帯端末装置１０の前記開口方向に対する傾斜角度を大きくすることができ、その取り扱い性を向上させることができる。しかも、本実施形態では、第２筐体１２の一端部１２ｂ（筐体一端部）の裏面１２ｅ側が半球形状とされるとともに、逃げ部２７が底面壁２６の内面に連なっているので、この裏面１２ｅ側を逃げ部２７に引っかからせることなく滑らかに沿わせることが可能になり、前記挿脱をより一層容易にすることができる。
【００２７】
また、逃げ部２７の表面に係合突起２９が設けられているので、携帯端末装置１０を前記のように傾けた状態でこの支持部２１に差し込み、この携帯端末装置１０の一端部１０ｂを係合突起２９の配設位置に到達させたときに、この係合突起２９により携帯端末装置１０を前面壁２４の内表面に向けて押し付けることが可能になる。これにより、携帯端末装置１０の支持部２１における前後方向に対する位置が決定されることになり、給電端子２２および係合リブ２３を係合溝１７に収納して、給電端子２２に充電端子１４を確実に接続させることが可能になるとともに、携帯端末装置１０の支持力を向上させることができる。また、係合突起２９を、第２筐体１２の裏面１２ｅに設けられた係合凹部に係合させることにより、携帯端末装置１０が充電器２０から離脱するのを抑制することができる。
【００２８】
さらに、前面壁２４に第２筐体１２の一端部１２ｂにおける重ね合わせ面１２ｃ側の先端周縁部を支持する支持板２４ｂが形成されるとともに、逃げ部２７の上端２７ａは支持板２４ｂの内周縁よりも上方に位置されているので、支持部２１に差し込まれた携帯端末装置１０を取り出すのに携帯端末装置１０を前面壁２４側に傾けたときに、第２筐体１２の一端部１２ｂにおける重ね合わせ面１２ｃを支持板２４ｂで支持した状態で、この一端部１２ｂの裏面１２ｅ側の部分を逃げ部２７に向けて案内させることが可能になる。したがって、支持部２１からの携帯端末装置１０の取り出しをより一層容易にすることが可能になる。さらにまた、前面壁２４に形成された切欠き部２４ａが前記開口部を有しているので、携帯端末装置１０を支持部２１から取り出すのにこの装置１０を前面壁２４側に容易に傾けることが可能になり、前記の作用効果が確実に奏効されることになる。なお、第２筐体１２の一端部１２ｂの裏面１２ｅ側の部分を逃げ部２７に案内することによって、係合突起２９を後面壁２５の内部に押込んで、係合突起２９と係合凹部との係合を解除することができ、携帯端末装置１０の充電器２０からの取り出しを容易とすることができる。
【００２９】
また、この逃げ部２７の曲率半径が、半球形状とされた第２筐体１２の一端部１２ｂにおける裏面１２ｅ側の曲面部の曲率半径よりも大きくされているので、第２筐体１２の一端部１２ｂを逃げ部１７に引っかかりなくスムーズに挿脱することができる。
さらにまた、支持部２１に、第２筐体１２の一端部１２ｂをその両側面１２ｄ、１２側から挟み込み可能とされた係合リブ２３が設けられているので、携帯端末装置１０の支持力をより一層向上させることができる。
【００３０】
なお、本発明の技術的範囲は前記実施の形態に限定されるものではなく、本発明の趣旨を逸脱しない範囲において種々の変更を加えることが可能である。
例えば、前記実施形態では、携帯端末装置１０として、いわゆる折り畳み式の携帯電話機を示したが、これに代えて、連結部の軸線が第１、第２筐体の厚さ方向に延在し、第１筐体が第２筐体の重ね合わせ面１１ｃに沿った方向にスライド可能とされたスライド回転式のもの等を採用してもよい。
【００３１】
また、前記実施形態においては、第１、第２筐体１１、１２の一端部１１ｂ、１２ｂにおける先端部の平面視が、前記凸の円弧形状とされた構成を示したが、これに代えて、重ね合わせ面１１ｃ、１２ｃの幅方向に延び、かつ両側面１１ｄ、１１ｄ、１２ｄ、１２ｄに直交するような、重ね合わせ面１１ｃ、１２ｃの平面視が矩形状とされた第１、第２筐体を有する携帯端末装置においても適用可能である。
【００３２】
さらに、前記実施形態では、携帯電話機として第１、第２筐体１１、１２の２つの筐体を有して折り畳み式またはスライド回転式の構成とされる携帯端末装置を示したが、開閉可能とされていない構成、つまり１つの筐体で構成されて表示部およびキー操作部の双方がこの１つの筐体の同一表面上に設けられた携帯電話機であっても適用可能である。
さらにまた、前記実施形態では、携帯端末装置として携帯電話機を示したが、これに代えて、例えば携帯テレビや携帯情報端末にも適用可能である。
【００３３】
また、前記実施形態では、逃げ部２７が凹曲面状に形成される構成としたが、このような曲面形状に限定されることはなく、逃げ部２７は、第２筐体１２の一端部（筐体一端部）１２ｂにおける裏面１２ｅ側を支持する後面壁２５の上部２８を除いた部分に、凹状に形成されていればよい。この場合においても、この逃げ部は底面壁２６の内面に連なって上下方向に延びるように形成されるのが好ましい。
さらに、前記実施形態では、携帯端末装置１０の支持装置として、給電端子２２を有して、携帯端末装置１０が装着された際に当該給電端子２２を介して携帯端末装置１０を充電する充電器２０を示したが、これに限定されることはなく、携帯端末装置１０の一端部を差し込み可能に構成される支持部を有して当該携帯端末装置１０を支持可能な支持装置であればよく、充電器２０以外のクレードル装置等であってもよい。なお、支持部の形状も前記実施形態に限定されるものではない。
【００３４】
さらにまた、前記実施形態では、第２筐体１２の一端部１２ｂにおける裏面１２ｅ側を支持する後面壁２５に逃げ部２７を形成した構成を示したが、この逃げ部２７を第２筐体１２の一端部１２ｂにおける表面（重ね合わせ面）１２ｃ側を支持する表面側支持部位としての前面壁２４または支持板２４ｂにも形成するようにしてもよい。この場合、前記実施形態と同様に、携帯端末装置１０を後面壁２５側に容易に傾けることが可能になり、携帯端末装置１０の支持部２１への差し込み（装着）や携帯端末装置１０の支持部２１からの取り出しを容易にすることができる。なお、逃げ部２７は、前面壁２４と後面壁２５とのいずれか一方に設けるようにすればよい。
【図面の簡単な説明】
【００３５】
【図１】本発明に係る一実施形態において、（ａ）閉状態にある携帯端末装置および充電器の外観斜視図、および（ｂ）開状態にある携帯端末装置および充電器の外観斜視図である。
【図２】図１に示す充電器の外観斜視図である。
【図３】図１に示す携帯端末装置が図１および図２に示す充電器に差し込まれた状態を示す一部縦断面図である。
【符号の説明】
【００３６】
１０  携帯端末装置
１２ｂ  第２筐体の一端部（筐体一端部）
１２ｃ  第２筐体の重ね合わせ面（筐体一端部の表面）
１２ｅ  第２筐体の裏面（筐体一端部の裏面）
１７  係合溝
２０  充電器（携帯端末装置の支持装置）
２１  支持部
２３  係合リブ
２４  前面壁（表面側支持部位）
２４ｂ  支持板（表面側支持部位）
２５  後面壁（裏面側支持部位）
２７  逃げ部
２７ａ  逃げ部２７の上端（逃げ部における筐体一端部の他端側の端部）
２８  後面壁２５の内面における上部（筐体支持部位）
２９  係合突起
【図１】
0005179006.tif 000002
【図２】
0005179006.tif 000003
【図３】
0005179006.tif 000004